(57)【要約】【課題】収集される事案情報に対して事前に設定される監視基準が満たされた場合に、事前に設定された内容を自動表示することを可能にする意思決定支援システムの提供を目的とする。【解決手段】本発明に係る意思決定支援システムは、事案の発生に際しての意思決定を支援する意思決定支援システムであって、事案情報を受け付けて蓄積し、事案情報を含む第１の画像信号として出力する事案情報管理部と、第１の画像信号と、各々が事案情報とは異なる映像または情報を含む複数の第２の画像信号と、を入力する画像合成部と、事案情報が予め定められた基準を満たしたとき、複数の第２の画像信号のうち予め定められた映像または情報を含む第２の画像信号と、第１の画像信号とを、画像合成部に合成させ、合成画像信号を出力させる制御部と、画像合成部から出力される合成画像信号を画像表示する表示部とを備える。【選択図】図１
2018195071.tif 000002
【特許請求の範囲】
【請求項１】
事案の発生に際しての意思決定を支援する意思決定支援システムであって、
事案情報を受け付けて蓄積し、第１の画像信号として出力する事案情報管理部と、
前記第１の画像信号と、各々が前記事案情報とは異なる映像または情報を含む複数の第２の画像信号と、を入力する画像合成部と、
前記事案情報が予め定められた基準を満たしたとき、前記複数の第２の画像信号のうち予め定められた映像または情報を含む第２の画像信号と、前記第１の画像信号とを、前記画像合成部に合成させ、合成画像信号を出力させる制御部と、
前記画像合成部から出力される前記合成画像信号を画像表示する表示部とを備える意思決定支援システム。
【請求項２】
複数の前記映像または前記情報を入力し、前記複数の第２の画像信号として前記画像合成部に出力する映像入力部をさらに備える請求項１に記載の意思決定支援システム。
【請求項３】
地図画像を生成し、前記第２の画像信号として前記画像合成部に出力する地図生成部をさらに備え、
前記制御部は、前記事案情報に含まれる位置情報に基づく前記地図画像を前記地図生成部に生成させる請求項１または請求項２に記載の意思決定支援システム。
【請求項４】
前記地図生成部は、前記事案情報に含まれる道路情報が図示された前記地図画像を生成して、前記画像合成部に出力する請求項３に記載の意思決定支援システム。
【請求項５】
前記予め定められた基準は、前記事案情報管理部が新たな前記事案情報を受け付けることにより蓄積された前記事案情報の量が更新されるときであり、
前記制御部は、
蓄積された複数の前記事案情報に含まれる複数の前記位置情報が図示された前記地図画像を前記地図生成部に生成させる請求項３または請求項４に記載の意思決定支援システム。
【発明の詳細な説明】
【技術分野】
【０００１】
本発明は、事案の発生に際しての意思決定を支援する意思決定支援システムに関する。
【背景技術】
【０００２】
各都道府県に設置されている庁舎には、大規模の地震、火山活動等の自然災害に備え、災害対策本部などの防災体制が整備されている。自然災害発生時には、電話、ファクシミリ、電子メール等の多様な通信手段を介して収集された情報が、整理および集計され、関係組織に対する報告と必要な応急対策とが実施される。
【０００３】
従来、災害発生時に通信手段を介して収集された情報は、担当者が紙媒体に記録したり、必要に応じてホワイトボードに転記したりして、関係各位に伝達するという対応が成されていた。
【０００４】
災害対策時には、複数の通信手段からの情報が錯綜するため、紙媒体またはホワイトボードへの手書きによる情報整理は困難であり、且つ、物理的な制約から同時に伝達、共有できる情報には制限があった。さらに、手書きによる対応状況は、迅速かつ的確な災害対策への阻害要因ともなっていた。最悪の場合、収集された情報が充分な措置が施されることなく、誤って破棄される可能性もあった。
【０００５】
特許文献１には、災害関連情報に対して予め定められている対策を、対策担当者に対して順次提示することが可能な災害時意思決定支援装置およびシステムが開示されている。
【０００６】
特許文献２には、意思決定に必要な情報を配信するために、意思決定の原因となるイベントを検知し、当該イベントに応じたタスク割当および通知すべき情報を、イベントに応じて、各情報の相関関係を用いて、決定する装置が開示されている。
【先行技術文献】
【特許文献】
【０００７】
【特許文献１】特開２０００−０４８０７３号公報
【特許文献２】特開２０１３−０８８８２９号公報
【発明の概要】
【発明が解決しようとする課題】
【０００８】
しかし、特許文献１では、あらかじめ防災計画ルールで定められていない想定外の事案が発生した場合の支援方法については開示されていない。
【０００９】
また、特許文献２では、タスク実行担当者が能動的にイベント関連情報を取得する必要があり、刻一刻と蓄積、変化する膨大な災害情報の中から、より重要度の高い情報を取得することは困難であった。また、意思決定支援装置は最新の道路情報を受信できることを前提としているが、災害状況によっては、最新の道路情報を受信できない可能性もある。
【００１０】
本発明は、上記問題に鑑みてなされたものであり、収集される事案情報に対して事前に設定される監視基準が満たされた場合に、事前に設定された内容を自動表示することを可能にする意思決定支援システムの提供を目的とする。
【課題を解決するための手段】
【００１１】
本発明に係る意思決定支援システムは、事案の発生に際しての意思決定を支援する意思決定支援システムであって、事案情報を受け付けて蓄積し、第１の画像信号として出力する事案情報管理部と、第１の画像信号と、各々が事案情報とは異なる映像または情報を含む複数の第２の画像信号と、を入力する画像合成部と、事案情報が予め定められた基準を満たしたとき、複数の第２の画像信号のうち予め定められた映像または情報を含む第２の画像信号と、第１の画像信号とを、画像合成部に合成させ、合成画像信号を出力させる制御部と、画像合成部から出力される合成画像信号を画像表示する表示部とを備える。
【発明の効果】
【００１２】
本発明によれば、収集される事案情報に関して事前に設定される監視基準が満たされた場合に、事前に設定された内容を自動表示する意思決定支援システムの提供が可能である。例えば、本発明に係る意思決定支援システムは、複数の通信手段から収集、蓄積した事案情報から、より緊急度の高い事案情報およびそれに付随する関連情報を表示部に自動表示する。意思決定支援システムのユーザーは、各事案の措置状況把握が容易になる。意思決定支援システムは、災害発生時の意思決定がスムーズに行えるよう支援する。
【図面の簡単な説明】
【００１３】
【図１】実施の形態１に係る意思決定支援システムの構成を示すブロック図である。
【図２】実施の形態１に係る制御部の構成を示すブロック図である。
【図３】実施の形態１に係る事案情報管理部の構成を示すブロック図である。
【図４】実施の形態１に係る事案情報管理部のハードウェア構成図である。
【図５】実施の形態１に係る意思決定支援システムの動作を示すフローチャートである。
【図６】実施の形態１に係る事案情報管理部で生成される事案画像の一例を示す模式図である。
【図７】実施の形態１に係る意思決定支援システムの動作を示すフローチャートである。
【図８】実施の形態２に係る意思決定システムのブロック図である。
【図９】実施の形態２に係る制御部のブロック図である。
【図１０】実施の形態２に係る意思決定支援システムの動作を示すフローチャートである。
【図１１】実施の形態２に係る地図生成部で生成される地図画像の一例を示す模式図である。
【図１２】実施の形態２に係る画像合成部で生成される合成画像の一例を示す模式図である。
【図１３】実施の形態２に係る画像合成部で生成される合成画像の別の例を示す模式図である。
【発明を実施するための形態】
【００１４】
本発明に係る意思決定支援システムの実施の形態を説明する。
【００１５】
＜実施の形態１＞
図１は、実施の形態１に関する意思決定支援システム２００の構成を示すブロック図である。
【００１６】
図１に示すように、意思決定支援システム２００は、事案情報操作部１と、事案情報管理部１００と、映像入力部１１０と、画像合成部１２０と、制御部１３０と、表示部１４０と、操作部１５０と、を備える。
【００１７】
事案情報操作部１には、発生した事案に関する事案情報が、事案入力担当者２０によって入力される。事案入力担当者２０は、例えば、災害対策の担当者、オペレータである。事案情報操作部１は、例えば移動可能な端末であり、例えば携帯端末である。なお、図には示されていないが、意思決定支援システム２００は、複数の事案情報操作部を備えても良い。
【００１８】
事案情報操作部１によって入力される事案情報には、複数の項目が含まれる。複数の項目とは、例えば、受付日時、発生日時、記入者、件名、事案状況、住所、緯度経度情報、被害状況、措置状況、連絡先、担当者、重要度もしくは緊急度などの文字列情報、または、事案発生現場の写真、動画もしくはその他の付随するバイナリデータである。
【００１９】
事案情報管理部１００は、事案情報操作部１によって入力される事案情報を受け付け、蓄積、索引し、第１の画像信号として画像合成部１２０に出力する。事案情報操作部１と事案情報管理部１００との間の距離に制約はない。事案情報は、例えば、事案情報操作部１である携帯端末からネットワークを介して事案情報管理部１００に送信されても良い。
【００２０】
映像入力部１１０には複数の映像または情報が入力され、映像入力部１１０は、それぞれを第２の画像信号として画像合成部１２０に出力する。それら複数の映像または情報は、例えば、外部から入力する監視カメラ映像、対策室の端末映像、地上デジタル映像、文字情報などである。
【００２１】
画像合成部１２０は、事案情報管理部１００から入力する第１の画像信号および映像入力部１１０から入力する第２の画像信号を合成し、合成画像信号を出力する。
【００２２】
制御部１３０は、事案情報管理部１００および画像合成部１２０を制御する。制御部１３０は、事案情報管理部１００に入力される事案情報を監視する。
【００２３】
制御部１３０は、事案情報に含まれる複数の項目のうち監視対象の項目と、その項目の監視基準と、その項目が監視基準を満たした際に、表示部１４０に自動表示させる内容を事前に保持している。自動表示させる内容とは、複数の第２の画像信号のうち、画像合成部１２０によって第１の画像信号と合成される第２の画像信号のことである。
【００２４】
制御部１３０は、事案情報蓄積部３に監視基準を満たす事案情報がないかを一定間隔で確認する。監視基準を満たす事案が事案情報操作部１から入力された場合、予め設定しておいた自動表示内容に基づく第２の画像信号と第１の画像信号とを合成するよう画像合成部１２０を制御する。
【００２５】
表示部１４０は、画像合成部１２０より出力される合成画像信号を入力し、その合成画像信号に基づく合成画像を表示する。表示部１４０は、例えば、液晶表示方式、デジタル・マイクロミラー・デバイス（ＤＭＤ）を利用したプロジェクタ方式の表示装置である。合成画像は静止画像に限らず、映像、即ち動画であってもよい。
【００２６】
操作部１５０は、担当者の操作を受け付け、その操作内容を制御部１３０に通知する。例えば、操作部１５０には、予め制御部１３０に保持させておく監視対象の項目、監視基準および自動表示内容がユーザーによって入力される。
【００２７】
図２は、制御部１３０の構成の一例を示すブロック図である。制御部１３０は、例えば、事案情報取得部１３１、判定部１３２、記憶部１３３および制御信号出力部１３４で構成される。事案情報取得部１３１は、一定間隔で事案情報管理部１００に事案情報を取得するための信号を送信し、事案情報管理部１００から監視対象の項目を取得する。判定部１３２は、記憶部１３３に予め保持されていた監視対象の項目と監視基準とに基づき、取得した事案情報が監視基準を満たすか否かを判定する。監視基準を満たす場合に、制御信号出力部１３４は、自動表示内容を表示させるための制御信号を画像合成部１２０に出力する。
【００２８】
図３は、事案情報管理部１００の構成を示すブロック図である。事案情報管理部１００は、事案情報処理部２と、事案情報蓄積部３と、事案画像生成部４と、事案画像出力部５と、を備える。
【００２９】
事案情報処理部２は、事案情報操作部１から送信される事案情報を処理し、事案情報蓄積部３に保存する、または、事案画像生成部４に必要な事案情報を出力する。
【００３０】
事案情報蓄積部３は、事案情報を蓄積保存する。
【００３１】
事案画像生成部４は、事案情報処理部２から入力する整形された事案情報に基づいて事案画像を生成する。事案画像は、静止画に限られず、映像すなわち動画であってもよい。
【００３２】
事案画像出力部５は、事案画像生成部４にて生成された事案画像を第１の画像信号として出力する。
【００３３】
図４は、事案情報管理部１００のハードウェア構成を示す図である。
【００３４】
処理回路ＨＷ３は事案情報処理部２および事案画像生成部４の機能を実現し、メモリＨＷ４は事案情報蓄積部３の機能を実現する。処理回路ＨＷ３は入力インターフェースＨＷ１から事案情報を入力する。つまり、事案情報操作部１から出力される事案情報は、入力インターフェースＨＷ１を介して処理回路ＨＷ３に入力される。処理回路ＨＷ３は、事案情報を処理して、メモリＨＷ４に保存する。また、処理回路ＨＷ３は、事案情報を第１の画像信号として出力インターフェースＨＷ２に出力する。ここで、出力インターフェースＨＷ２は、事案画像出力部５の一例である。つまり、処理回路ＨＷ３は、出力インターフェースＨＷ２を介して画像合成部１２０に第１の画像信号を出力する。
【００３５】
入力インターフェースＨＷ１および出力インターフェースＨＷ２は、例えばＤＶＩケーブル等に対応したインターフェース、ＬＡＮ（ｌｏｃａｌ  ａｒｅａ  ｎｅｔｗｏｒｋ）インターフェースなどである。処理回路ＨＷ３は、専用のハードウェアであっても、メモリＨＷ４に格納されるプログラムを実行するＣＰＵ（ｃｅｎｔｒａｌ  ｐｒｏｃｅｓｓｉｎｇ  ｕｎｉｔ）であってもよい。
【００３６】
処理回路ＨＷ３が専用のハードウェアである場合、処理回路ＨＷ３は、例えば、単一回路、複合回路、プログラム化したプロセッサ、並列プログラム化したプロセッサ、ＡＳＩＣ、ＦＰＧＡ、またはこれらを組み合わせたものが該当する。
【００３７】
処理回路ＨＷ３がＣＰＵの場合、事案情報処理部２、事案情報蓄積部３および事案画像生成部４の各機能はソフトウェア、ファームウェア、またはソフトウェアとファームウェアとの組み合わせにより実現される。ソフトウェアやファームウェアはプログラムとして記述され、メモリＨＷ４に格納される。処理回路ＨＷ３は、メモリＨＷ４に記憶されたプログラムを読み出して実行することにより、事案情報処理部２、事案情報蓄積部３および事案画像生成部４の機能を実現する。また、このプログラムは、事案情報処理部２、事案情報蓄積部３および事案画像生成部４の手順や方法を、事案情報管理部１００が含むコンピュータに実行させるものであるともいえる。ここで、メモリＨＷ４とは、例えば、ＲＡＭ、ＳＤＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００３８】
なお、事案情報処理部２、事案情報蓄積部３および事案画像生成部４の機能について、一部を専用のハードウェアで実現し、一部をソフトウェアまたはファームウェアで実現するようにしてもよい。
【００３９】
制御部１３０も図４に示すハードウェアと同様の構成を有する。処理回路ＨＷ３は制御部１３０の機能を実現し、メモリＨＷ４は制御部１３０の記憶部１３３の機能を実現する。処理回路ＨＷ３は、出力インターフェースＨＷ２から事案情報管理部１００に監視対象の項目を取得するための信号を出力し、処理回路ＨＷ３は入力インターフェースＨＷ１から事案情報に含まれる監視対象の項目を入力する。処理回路ＨＷ３は、監視対象の項目がメモリＨＷ４に予め記憶されている監視基準を満たすか否かを判定する。処理回路ＨＷ３は、監視基準を満たす場合に、メモリＨＷ４に予め記憶されている自動表示内容を表示させるための制御信号を、出力インターフェースＨＷ２から画像合成部１２０に出力する。
【００４０】
制御部１３０の処理回路ＨＷ３は、例えばプロセッサである。制御部１３０の機能はプログラムとして記述されメモリＨＷ４に格納される。プロセッサが、メモリに格納されたそのプログラムを読み出して実行することにより、制御部１３０の機能が実現される。
【００４１】
（動作）
本実施の形態１における意思決定支援システム２００の動作を説明する。図５は、事案情報操作部１および事案情報管理部１００による事案画像の生成の動作を示すフローチャートである。
【００４２】
ステップＳ１１０にて、まず、事案入力担当者（オペレータ）により、事案情報操作部１に事案情報が入力される。事案情報は、キーボードで文字情報が入力されてもよいし、音声認識機能等により入力されてもよい。また、遠隔地にてスマートフォン、タブレットなどから、外部のネットワークを介して入力されてもよい。事案情報操作部１は、事案情報を事案情報管理部１００の事案情報処理部２に出力する。
【００４３】
ステップＳ１２０にて、事案情報処理部２は、事案情報を事案情報蓄積部３に蓄積可能なデータ形式に変換し、事案情報蓄積部３に保存する。意思決定支援システム２００のユーザーは、事案情報蓄積部３に蓄積された事案情報を自由に追加、取得、更新、消去することが可能である。
【００４４】
ステップＳ１３０にて、事案情報処理部２は、事案情報蓄積部３に蓄積された事案情報を読み出し事案画像生成部４に出力する。事案画像生成部４は、その事案情報に基づいて事案画像を生成する。
【００４５】
図６は、事案画像生成部４にて生成される事案画像３０の模式図である。事案画像３０には、事案が発生した年月日、時分秒、事案を受理した担当者、事象、詳細、重要度等が含まれる。前述した項目以外にも事案への対応状況などが含まれていても良い。
【００４６】
事案情報が追加された場合または更新された場合、事案画像３０はその追加または更新されたタイミングで自動生成されても良い。または、事案情報を入力する担当者が手動で事案画像の再生成の指示を事案情報操作部１から入力しても良い。
【００４７】
図５に示すステップＳ１４０にて、事案画像生成部４で生成された事案画像３０は、第１の画像信号として事案画像出力部５から画像合成部１２０に出力される。
【００４８】
図７は、制御部１３０、画像合成部１２０および表示部１４０による画像合成の動作を示すフローチャートである。
【００４９】
ステップＳ２１０にて、制御部１３０の事案情報取得部１３１は、事案情報管理部１００に事案情報を取得するための信号を送信し、事案情報管理部１００から監視対象の項目を取得する。
【００５０】
ステップＳ２２０にて、制御部１３０の判定部１３２は、その取得した事案情報に含まれる監視対象の項目が、制御部１３０の記憶部１３３に予め保持されていた監視基準を満たすか否かを判定する。
【００５１】
監視基準を満たさない場合、つまりステップＳ２２０にてＮＯの場合、ステップＳ２３０にて制御部１３０は一定時間待機し、再びステップＳ２１０を実行する。
【００５２】
監視基準を満たす場合、つまりステップＳ２２０にてＹＥＳの場合、ステップＳ２４０に移行する。
【００５３】
ステップＳ２４０にて、制御部１３０の制御信号出力部１３４は、記憶部１３３から予め保持しておいた自動表示内容を表示させるための制御信号を画像合成部１２０に出力する。
【００５４】
ステップＳ２５０にて、画像合成部１２０は、映像入力部１１０から入力する複数の第２の画像信号のうち制御信号に基づいて選択される第２の画像信号と、事案情報管理部１００から入力する第１の画像信号とを合成する。画像合成部１２０は、合成した合成画像信号を表示部１４０に出力する。
【００５５】
ステップＳ２６０にて、表示部１４０は合成画像信号に基づく合成画像を表示する。
【００５６】
以上のステップにより、制御部１３０は事案情報蓄積部３に監視基準を満たす事案情報がないかを一定間隔で確認し、監視基準を満たす事案が事案情報操作部１から入力された場合、表示部１４０にあらかじめ設定した自動表示内容を表示させることができる。
【００５７】
制御部１３０が保持する監視対象の項目が、例えば「事案情報に含まれる重要度」であり、監視基準が「重要度の高い事案が発生」、自動表示内容が「発生地点付近のカメラ映像、もしくは映像が無い場合、現場確認が必要なことの喚起表示」と設定される場合、事案情報管理部１００に蓄積される事案情報のうち、重要度が高い事案発生地点付近のカメラ映像が表示部１４０に自動表示される。
【００５８】
または、例えば、監視対象の項目が「事案情報管理部１００における事案情報の入力状態」、監視基準が「担当者により入力が開始された瞬間」、自動表示内容が「事案情報管理部１００の端末映像」である場合、事案情報の入力を受け付けた瞬間に事案情報が表示部１４０に自動表示される。このため、担当者以外も登録内容をリアルタイムで確認できる。
【００５９】
意思決定支援システムのユーザーは、操作部１５０または事案情報操作部１により、これら監視対象の項目、監視基準および自動表示内容を、柔軟に変更できる。
【００６０】
監視対象の項目、監視対象および自動表示内容はどのような情報であってもよい。また、複数の監視基準が設けられてもよく、全ての監視基準を満たす、又はいずれかひとつの監視基準を満たす等、自動表示する条件は自由に設定され得る。また、同様に、複数の監視対象または複数の自動表示内容が設定されてもよい。
【００６１】
本実施の形態１における意思決定支援システムは、任意の監視基準で任意の対象を監視し、該監視基準を満たした場合に任意の情報を自動表示することに進歩性を有する。
【００６２】
（効果）
以上をまとめると、本実施の形態１における意思決定支援システム２００は、事案の発生に際しての意思決定を支援する意思決定支援システム２００であって、事案情報を受け付けて蓄積し、第１の画像信号として出力する事案情報管理部１００と、第１の画像信号と、各々が事案情報とは異なる映像または情報を含む複数の第２の画像信号と、を入力する画像合成部１２０と、事案情報が予め定められた基準を満たしたとき、複数の第２の画像信号のうち予め定められた映像または情報を含む第２の画像信号と、第１の画像信号とを、画像合成部１２０に合成させ、合成画像信号を出力させる制御部１３０と、画像合成部１２０から出力される合成画像信号を画像表示する表示部１４０とを備える。
【００６３】
また、本実施の形態１における意思決定支援システム２００は、複数の映像または情報を入力し、複数の第２の画像信号として画像合成部１２０に出力する映像入力部１１０をさらに備える。
【００６４】
以上の構成により、意思決定支援システム２００は、複数の通信手段から収集、蓄積した事案情報から、より緊急度の高い事案情報およびそれに付随する関連情報を表示部１４０に自動出力して画像表示する。意思決定支援システム２００のユーザーは、能動的に事案情報を検索、取得する必要がなくなり、各事案の措置状況の把握が容易になる。意思決定支援システム２００は、災害発生時の意思決定がスムーズに行えるようユーザーを支援する。
【００６５】
＜実施の形態２＞
実施の形態２における意思決定支援システムを説明する。なお、実施の形態１と同様の構成および動作については説明を省略する。
【００６６】
図８は、本実施の形態２における意思決定支援システム２０１の構成を示すブロック図である。実施の形態２における意思決定支援システム２０１は、実施の形態１に示した意思決定支援システム２００の構成に加えて、地図生成部１６０をさらに備える。
【００６７】
地図生成部１６０は、事案情報操作部１から入力される事案情報に含まれる位置情報に基づく地図画像を生成し、第２の画像信号として画像合成部１２０に出力する。例えば、その位置情報は、事案入力担当者２０によって手動で入力されてもよいし、事案情報操作部１によって自動で事案情報に付加されてもよい。また、例えば、意思決定支援システム２００は、図示は省略するが、地図取得部をさらに備え、事案情報に含まれる位置情報に対応する位置周辺の地図情報を取得して、地図画像を生成する。また、例えば、意思決定支援システム２００は、複数の地図情報を記憶する地図記憶部しており、地図取得部は、その地図記憶部に記憶されている複数の地図情報から、事案情報に含まれる位置情報に対応する位置周辺の地図情報を読み出して、地図画像を生成する。または、例えば、地図取得部は、地図画像を生成するための地図情報を外部サーバより受信して取得する。
【００６８】
また、地図生成部１６０は、その位置情報に基づき、事案が発生した事案発生地点の図示を含む地図画像を生成する。また、地図生成部１６０は、最新の道路情報をＶＩＣＳ（Ｖｉｈｉｅｃｌｅ  Ｉｎｆｏｒｍａｔｉｏｎ  ａｎｄ  Ｃｏｍｍｕｎｉｃａｔｉｏｎ  Ｓｙｓｔｅｍ）（登録商標）などから取得し、その道路情報を地図上に図示した地図画像を生成する。
【００６９】
図９は、実施の形態２における制御部１３０の構成を示すブロック図である。制御部１３０は、事案情報管理部１００に入力される事案情報を監視する。判定部１３２は、事案情報取得部１３１にて取得した事案情報が監視基準を満たすことを判定するとともに、位置情報を含む事案情報が入力されたことを検知する。制御信号出力部１３４は、位置情報を含む制御信号を地図生成部１６０に出力する。地図生成部１６０は、位置情報を含む制御信号に基づき地図画像を生成する。また、制御信号出力部１３４は、自動表示内容させるための制御信号を画像合成部１２０に出力する。
【００７０】
図８に示すように、画像合成部１２０は、制御信号に基づき地図生成部１６０から入力する第２の画像信号と、事案情報管理部１００から入力する第１の画像信号とを合成する。
【００７１】
実施の形態２における制御部１３０および地図生成部１６０も、図４に示すハードウェア構成を有する。処理回路ＨＷ３は、監視基準を満たす場合に、位置情報を含む制御信号を、出力インターフェースＨＷ２から地図生成部１６０に出力する。
【００７２】
地図生成部１６０も、図４に示すハードウェア構成と同様の構成を有する。処理回路ＨＷ３は、位置情報を含む制御信号を入力インターフェースＨＷ１から入力し、生成した地図画像を出力インターフェースＨＷ２から画像合成部１２０に出力する。
【００７３】
上記の制御部１３０および地図生成部１６０の機能はプログラムとして記述されメモリＨＷ４に格納される。プロセッサが、メモリに格納されたそのプログラムを読み出して実行することにより、実施の形態２における制御部１３０および地図生成部１６０の機能が実現される。
【００７４】
次に意思決定支援システム２０１の動作を説明する。図示は省略するが、事案画像の生成および第１の画像信号の出力に関する各部の動作は、図５に示すフローチャートと、ステップＳ１１０が異なる以外は同様である。本実施の形態２においては、そのステップＳ１１０において、位置情報を含む事案情報が入力される。
【００７５】
図１０は、制御部１３０、地図生成部１６０、画像合成部１２０および表示部１４０による画像合成の動作を示すフローチャートである。
【００７６】
ステップＳ２１０にて、制御部１３０の事案情報取得部１３１は、事案情報管理部１００に事案情報を取得するための信号を送信し、事案情報管理部１００から監視対象の項目および位置情報を取得する。
【００７７】
ステップＳ２２０は、図７と同様である。なお、本実施の形態２では、監視対象の項目は「事案情報管理部１００に蓄積される事案情報量および位置情報」、監視基準は「事案情報管理部に蓄積される事案情報が更新されたとき」、自動表示内容は「地図上に対応が必要なエリアを含む地図画像を自動で喚起表示」とする。
【００７８】
ステップＳ２２０にてＮＯの場合、ステップＳ２３０にて制御部１３０は一定時間待機し、再びステップＳ２１０を実行する。
【００７９】
ステップＳ２２０にてＹＥＳの場合、ステップＳ２４２に移行する。ステップＳ２４２にて、制御部１３０の制御信号出力部１３４は、取得した位置情報を含む制御信号を地図生成部１６０に出力する。また、制御信号出力部１３４は、記憶部１３３から自動表示内容を読み出し、制御信号を画像合成部１２０に出力する。
【００８０】
ステップＳ２４４にて、地図生成部１６０は位置情報に基づく地図画像を生成する。例えば手動で入力された位置情報に基づいた地図画像が生成される。図１１は、地図生成部１６０が生成する地図画像４０の一例を示す図である。
【００８１】
ステップＳ２４６にて、地図生成部１６０により、位置情報に基づく事案発生地点がプロットされた地図画像が生成される。
【００８２】
ステップＳ２４８にて、地図画像は第２の画像信号として画像合成部１２０に出力される。
【００８３】
ステップＳ２５０にて、画像合成部１２０は、地図画像に対応する第２の画像信号と、事案画像に対応する第１の画像信号とを合成する。画像合成部１２０は、合成した合成画像信号を表示部１４０に出力する。
【００８４】
ステップＳ２６０にて、表示部１４０は合成画像信号に基づく合成画像を表示する。
【００８５】
図１２および図１３は、それぞれ、合成画像５０および合成画像５１を示す模式図である。図１２に示す合成画像５０は、事案画像３０と地図画像４０とが合成された画像である。図１３に示す合成画像５１は、事案画像３０ａおよび３０ｂと地図画像４０ａおよび４０ｂとが合成された画像である。
【００８６】
（効果）
以上をまとめると、本実施の形態２における意思決定支援システム２０１は、地図画像を生成し、第２の画像信号として画像合成部１２０に出力する地図生成部１６０をさらに備える。制御部１３０は、事案情報に含まれる位置情報に基づく地図画像を地図生成部１６０に生成させる。
【００８７】
このような構成により、意思決定支援システム２０１は、事案情報操作部１により指定された領域の地図画像または事案情報が発生した付近の地図画像を表示したり、地図画像に事案の位置情報を付加したりすることを可能にする。
【００８８】
従って、意思決定支援システム２０１によれば、発生事案と地図画像が連動して表示される。意思決定支援システム２０１のユーザーは、事案の位置情報を視覚的に認識することができ、従来よりも素早く事案情報を認識することが可能になる。また、ユーザーは、災害発生箇所を地図上で把握できるため、人員配置などの意思決定が容易になる。
【００８９】
意思決定支援システム２００は、事案情報の蓄積、各事案の措置状況表示、地図連動による視覚的な位置情報表示、大画面での連動表示により、複数人での情報共有や災害時の意思決定を支援する。
【００９０】
また、意思決定支援システム２０１が含む地図生成部１６０は、事案情報に含まれる道路情報が図示された地図画像を生成して、画像合成部１２０に出力する。
【００９１】
このような構成により、意思決定支援システム２０１は、最新の道路情報が得られない災害状況であっても、事案情報操作部１から事案入力担当者２０によって手動で入力された事案情報に基づいた、より現場の災害状況に即した支援情報を地図上に表示できる。
【００９２】
また、意思決定支援システム２０１の制御部１３０に設定される予め定められた基準は、事案情報管理部１００が新たな事案情報を受け付けることにより蓄積された事案情報の量が更新されるときである。制御部１３０は、蓄積された複数の事案情報に含まれる複数の位置情報が図示された地図画像を地図生成部１６０に生成させる。
【００９３】
このような構成を含む意思決定支援システム２０１によれば、ユーザーは、事案情報が蓄積されているエリアを迅速に認識でき、速やかに必要な対応を実施できる。
【００９４】
なお、本発明は、その発明の範囲内において、各実施の形態を自由に組み合わせたり、各実施の形態を適宜、変形、省略したりすることが可能である。本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【００９５】
１  事案情報操作部、２  事案情報処理部、３  事案情報蓄積部、４  事案画像生成部、５  事案画像出力部、３０  事案画像、４０  地図画像、５０  合成画像、５１  合成画像、２０  事案入力担当者、１００  事案情報管理部、１１０  映像入力部、１２０  画像合成部、１３０  制御部、１３１  事案情報取得部、１３２  判定部、１３３  記憶部、１３４  制御信号出力部、１４０  表示部、１５０  操作部、１６０  地図生成部、２００  意思決定支援システム、ＨＷ１  入力インターフェース、ＨＷ２  出力インターフェース、ＨＷ３  処理回路、ＨＷ４  メモリ。
【図１】
2018195071.tif 000003
【図２】
2018195071.tif 000004
【図３】
2018195071.tif 000005
【図４】
2018195071.tif 000006
【図５】
2018195071.tif 000007
【図６】
2018195071.tif 000008
【図７】
2018195071.tif 000009
【図８】
2018195071.tif 000010
【図９】
2018195071.tif 000011
【図１０】
2018195071.tif 000012
【図１１】
2018195071.tif 000013
【図１２】
2018195071.tif 000014
【図１３】
2018195071.tif 000015